【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
システム側回路から２ワイヤ・インタフェースを介して接続されたライン側回路へ電力を転送する方法であって、
前記システム側回路で、前記ライン側回路によって前記２ワイヤ・インタフェースに課される第１の信号を受信するステップと、
前記システム側回路で前記第１の信号を強化するステップと、
それによって、前記２ワイヤ・インタフェースを介して前記システム側回路から前記ライン側回路へ電力を転送するステップとを含む方法。
【請求項２】
前記強化するステップは、
第１の増幅された信号を生成するために前記第１の信号を増幅するステップと、
前記第１の信号に前記第１の増幅された信号を加えるステップとを含む請求項１に記載の方法。
【請求項３】
前記強化するステップを中止するステップと、
前記システム側回路で、前記ライン側回路によって前記２ワイヤ・インタフェースに課される第２の信号を受信するステップと、
第２の増幅された信号を生成するために前記第２の信号を増幅するステップと、
前記第２の信号に前記第２の増幅された信号を加えるステップとをさらに含む請求項２に記載の方法。
【請求項４】
前記第１の信号をラッチするステップをさらに含み、
前記強化するステップを中止する前記ステップは、前記第１の信号の前記ラッチをディスエーブルするステップを含む請求項３に記載の方法。
【請求項５】
システム側回路から２ワイヤ・インタフェースを介して接続されたライン側回路への電力の低リップル電力転送方法であって、
第１の時間期間の間に前記システム側回路から前記ライン側回路へ前進パルス・ストリームを送信するステップと、
前記第１の時間期間の間に第１の整流された電圧を生成するために、前記ライン側回路内の前記前進パルス・ストリームを整流するステップと、
第２の時間期間の間に前記ライン側回路から前記システム側回路へ逆パルス・ストリームを送信するステップと、
前記第２の時間期間の間に補足パルス・ストリームを提供するステップと、
前記第２の時間期間の間に第２の整流された電圧を生成するために、前記ライン側回路内の前記補足パルス・ストリームを整流するステップとを含み、
それによって、整流された電圧が、前記第１および第２の時間期間の間に生成される方法。
【請求項６】
補足パルス・ストリームを提供する前記ステップが、
前記システム側回路で、前記ライン側回路から前記逆パルス・ストリームを受信するステップと、
前記システム側回路で、前記補足パルス・ストリームを生成するために前記逆パルス・ストリームを強化するステップと、
前記システム側回路から前記ライン側回路へ前記補足パルス・ストリームを転送するステップとを含む請求項５に記載の方法。
【請求項７】
前記逆パルス・ストリーム内の各パルスをラッチするステップをさらに含む請求項６に記載の方法。
【請求項８】
第１の回路を、格納デバイスと接地との間に接続された三状態バッファを有する第２の回路とインタフェースする方法であって、前記三状態バッファは、入力端子、エネーブル端子、および出力端子を含み、方法は、
前記三状態バッファの前記出力端子で交流周波数成分を有する第１の信号を受信するステップと、
（ｉ）第１の時間期間の間に、前記第１の信号が格納コンデンサに電気接続され、かつ（ｉｉ）第２の時間期間の間に、前記第１の信号が接地に電気接続されるように、前記三状態バッファを切り替えるステップとを含む方法。
【請求項９】
前記第１の時間期間の間に、前記第１の信号の前記電圧は、第１の所定のレベルより上であり、前記第２の時間期間の間に、前記第１の信号の前記電圧は、第２の所定のレベルより下である請求項８に記載の方法。
【請求項１０】
前記第１の所定のレベルは、ほぼ前記格納デバイスでの電圧であり、前記第２の所定のレベルは、ほぼ接地での電圧である請求項９に記載の方法。
【請求項１１】
前記三状態バッファは、前記第１の信号と実質的に同期して切り替えられる請求項８に記載の方法。
【請求項１２】
前記切り替えステップは、
前記三状態バッファの前記入力端子に前記第１の信号の少なくとも一部を入力するステップを含む請求項１１に記載の方法。
【請求項１３】
前記受信するステップ、前記切り替えステップ、および前記入力するステップは、前記第１および第２の時間期間を含むフレームの第１の部分の間に実行される請求項１２に記載の方法。
【請求項１４】
第２の信号が、前記フレームの第２の部分の間に前記三状態バッファの前記出力端子に渡されるように、前記フレームの前記第２の部分の間に、前記三状態バッファの前記入力端子に第２の信号を入力するステップをさらに含む請求項１３に記載の方法。
【請求項１５】
前記第１の信号を入力する前記ステップ、および前記三状態バッファの前記入力端子に前記第２の信号を入力する前記ステップは、
前記第１の信号および前記第２の信号をモード選択スイッチに入力するステップと、
前記三状態バッファの前記入力端子に前記第１の信号または前記第２の信号のいずれかを前記モード選択スイッチに選択および出力させるモード選択信号を、前記モード選択スイッチに提供するステップとを含む請求項１４に記載の方法。
【請求項１６】
送信媒体にわたって通信するためのＩ／Ｏインタフェース回路であって、
第１のラッチを備え、前記第１のラッチは、
前記送信媒体を介して送信されるべき第１の送信信号を受信するための第１の送信入力端子、
前記送信媒体に接続することができる第１のインタフェース端子、
前記送信媒体から受信された第１の受信信号を出力するために、前記第１のインタフェース端子に接続された第１の受信出力端子、
前記第１のインタフェース端子に接続された出力端子、およびデータ入力端子を有する第１のバッファ、および
（ｉ）前記第１の送信入力端子および前記第１の受信出力端子にそれぞれ接続された２つの入力端子、（ｉｉ）前記第１のバッファのデータ入力端子に接続された出力端子、および（ｉｉｉ）前記送信媒体を介する送信のための前記第１の送信信号、または前記送信媒体から受信された前記第１の受信信号のいずれかを、前記第１のバッファへ渡すように前記第１のモード・スイッチを構成するためにモード選択信号を受信することができるモード選択端子を有する第１のモード・スイッチを含む、Ｉ／Ｏインタフェース回路。
【請求項１７】
前記第１のバッファに接続された格納デバイスをさらに備え、
前記第１のモード・スイッチが、前記第１の受信信号を前記第１のバッファに渡すように構成されるとき、前記第１のバッファへの前記第１のモード選択スイッチおよび入力を通過する信号が、前記第１のインタフェース端子での前記信号からのエネルギが、前記格納デバイス内に格納されるように、前記第１のバッファを前記第１のインタフェース端子で前記信号を同期して整流させる請求項１６に記載のＩ／Ｏインタフェース回路。
【請求項１８】
前記第１のバッファに接続された電源をさらに備え、
前記第１のモード・スイッチが、前記第１の受信信号を前記第１のバッファに渡すように構成されるとき、前記第１のバッファへの前記第１のモード選択スイッチおよび入力を通過する信号が、前記第１のバッファを、前記電源からのエネルギを用いて前記第１のインタフェース端子に表れる前記信号を強化させる請求項１６に記載のＩ／Ｏインタフェース回路。
【請求項１９】
前記第１のバッファは、
前記第１のバッファをエネーブルまたはディスエーブルするために、ラッチ制御信号を受信することができるラッチ制御端子をさらに備える請求項１６に記載のＩ／Ｏインタフェース回路。
【請求項２０】
前記第１のバッファは、
前記第１のバッファの前記データ入力端子と前記出力端子との間に接続された相補的トランジスタ対をさらに備える請求項１６に記載のＩ／Ｏインタフェース回路。
【請求項２１】
前記第１のバッファは、三状態バッファである請求項２０に記載のＩ／Ｏインタフェース回路。
【請求項２２】
前記送信媒体を介して送信されるべき第２の送信信号を受信するための第２の送信入力端子と、
前記送信媒体に接続することができる第２のインタフェース端子と、
前記送信媒体から受信された第２の受信信号を出力するために、前記第２のインタフェース端子に接続された第２の受信出力端子と、
前記第２のインタフェース端子に接続された出力端子、およびデータ入力端子を有する第２のバッファと、
（ｉ）前記第２の送信入力端子および前記第２の受信出力端子にそれぞれ接続された２つの入力端子、（ｉｉ）前記第２のバッファのデータ入力端子に接続された出力端子、および（ｉｉｉ）前記送信媒体を介する送信のための前記第２の送信信号、または前記送信媒体から受信された前記第２の受信信号のいずれかを、前記第２のバッファへ渡すように前記第２のモード・スイッチを構成するためにモード選択信号を受信することができるモード選択端子を有する第２のモード・スイッチとをさらに備える請求項１６に記載のＩ／Ｏインタフェース回路。
【請求項２３】
前記送信媒体は、差動信号の送信に適しており、第１および第２の受信信号ならびに第１および第２の送信信号は、それぞれ差動受信信号および差動送信信号を形成する請求項２２に記載のＩ／Ｏインタフェース回路。